(57)【要約】【課題】複数のディスプレイのうちの一部のディスプレイをグループ化する処理を効率化する。【解決手段】複数のモニタ２００のうちの少なくとも一部のモニタ２００をグループ化する制御を行うコントローラ１００は、複数のモニタ２００のそれぞれの属性を取得する属性取得部１０２１と、グループ化するモニタ２００に求められる条件を取得する条件取得部１０２２と、属性と条件とに基づいて、複数のモニタ２００から、グループ化するモニタ２００を選択するモニタ選択部１０２３と、モニタ選択部１０２３が選択したモニタ２００に、同一のグループ識別情報を設定させるグループ設定部１０２４と、を有することを特徴とする。【選択図】図２
2016066013.tif 000002
【特許請求の範囲】
【請求項１】
複数の表示装置のうちの少なくとも一部の表示装置をグループ化する制御を行う制御装置であって、
前記複数の表示装置のそれぞれの属性を取得する属性取得手段と、
グループ化する前記表示装置に求められる条件を取得する条件取得手段と、
前記属性と前記条件とに基づいて、前記複数の表示装置から、グループ化する前記表示装置を選択する選択手段と、
前記選択手段が選択した前記表示装置に、同一のグループ識別情報を設定させる設定手段と、
を有することを特徴とする制御装置。
【請求項２】
前記選択手段は、前記属性が所定の表示特性を満たしていることを示している前記表示装置を選択することを特徴とする、
請求項１に記載の制御装置。
【請求項３】
前記選択手段は、前記属性が、表示特性を補正可能であることを示している前記表示装置を選択することを特徴とする、
請求項１又は２に記載の制御装置。
【請求項４】
前記設定手段は、前記選択手段が選択した前記表示装置に、前記表示特性を補正するための補正情報と前記グループ識別情報とを送信する、
請求項３に記載の制御装置。
【請求項５】
前記設定手段は、前記グループ識別情報を設定した前記表示装置以外の表示装置に、グループ化しなかった旨を通知することを特徴とする、
請求項１から４のいずれか１項に記載の制御装置。
【請求項６】
前記設定手段は、前記グループ識別情報の設定を拒否することを示す情報を前記表示装置から受信した場合、当該表示装置がグループ化を拒否したことを示す情報を、当該表示装置に関連付けて記憶手段に記憶させることを特徴とする、
請求項１から５のいずれか１項に記載の制御装置。
【請求項７】
複数の表示装置のうちの少なくとも一部の表示装置をグループ化する制御の方法であって、
前記複数の表示装置のそれぞれの属性を取得するステップと、
グループ化する前記表示装置に求められる条件を取得するステップと、
前記属性と前記条件とに基づいて、前記複数の表示装置から、グループ化する前記表示装置を選択するステップと、
選択した前記表示装置に、同一のグループ識別情報を設定させるステップと、
を有することを特徴とする制御方法。
【請求項８】
前記選択するステップにおいて、前記属性が所定の表示特性を満たしていることを示している前記表示装置を選択することを特徴とする、
請求項７に記載の制御方法。
【請求項９】
前記選択するステップにおいて、前記属性が、表示特性を補正可能であることを示している前記表示装置を選択することを特徴とする、
請求項７又は８に記載の制御方法。
【請求項１０】
前記設定するステップの前に、選択した前記表示装置に、前記表示特性を補正するための補正情報を送信することを特徴とする、
請求項９に記載の制御方法。
【請求項１１】
前記設定するステップの後に、前記グループ識別情報を設定した前記表示装置以外の表示装置に、グループ化しなかった旨を通知するステップをさらに有することを特徴とする、
請求項７から１０のいずれか１項に記載の制御方法。
【請求項１２】
前記設定するステップにおいて、
前記グループ識別情報、及び前記表示装置を制御する制御装置を識別する制御装置識別情報を含む設定コマンドを、前記制御装置から前記表示装置に送信し、前記表示装置が受信した前記制御装置識別情報が所定の制御装置識別情報と一致する場合に、前記表示装置が前記グループ識別情報を設定することを特徴とする、
請求項７から１１のいずれか１項に記載の制御方法。
【請求項１３】
前記設定するステップにおいて、前記グループ識別情報の設定を拒否することを示す情報を前記表示装置から受信した場合、当該表示装置がグループ化を拒否したことを示す情報を、当該表示装置に関連付けて記憶手段に記憶させることを特徴とする、
請求項７から１２のいずれか１項に記載の制御方法。
【請求項１４】
制御装置と通信可能な表示装置であって、
表示特性を示す特性情報を記憶する第１記憶手段と、
前記特性情報を制御装置に送信する送信手段と、
前記制御装置からグループ識別情報を受信する受信手段と、
前記グループ識別情報を記憶する第２記憶手段と、
を有することを特徴とする表示装置。
【請求項１５】
前記受信手段は、前記表示特性を補正するための補正情報をさらに受信し、
前記補正情報に基づいて表示特性を補正する補正手段をさらに有することを特徴とする、
請求項１４に記載の表示装置。
【請求項１６】
前記グループ識別情報を送信した前記制御装置の識別情報が、所定の制御装置識別情報と一致するか否かを判定し、一致した場合に前記グループ識別情報を前記第２記憶手段に記憶させる制御手段をさらに有することを特徴とする、
請求項１４又は１５に記載の表示装置。
【請求項１７】
グループに属することを許可するか否かに関する設定を受け付ける受付手段をさらに有し、
前記受付手段が、グループに属することを許可しない設定を受け付けた場合、前記送信手段は、前記受信手段が前記グループ識別情報を受信したことに応じて、グループ化を拒否することを示す情報を前記制御装置に送信することを特徴とする、
請求項１４から１６のいずれか１項に記載の表示装置。
【請求項１８】
制御装置と通信可能な表示装置に、表示特性を示す特性情報を記憶させるステップと、
前記特性情報を制御装置に送信するステップと、
前記制御装置からグループ識別情報を受信するステップと、
前記グループ識別情報を記憶するステップと、
を有することを特徴とする表示装置の設定方法。
【発明の詳細な説明】
【技術分野】
【０００１】
本発明は、表示装置を制御する制御装置、表示装置、及び表示装置を制御する方法に関するものである。
【背景技術】
【０００２】
近年、カメラのダイナミックレンジが広くなってきていることから、より広いダイナミックレンジを表現可能なＬｏｇ形式で撮影するケースが増えており、Ｌｏｇ形式の映像信号に対応したモニタも増えてきている。さらに、撮影現場において、複数のモニタにＬｏｇ形式の映像信号を入力して、簡易的なカラーグレーディング作業を行うケースも増えている。カラーグレーディング作業とは、例えばＡＳＣ−ＣＤＬ（American Society of Cinematographers-Color Decision List）による色調整である。
【０００３】
この場合、１台のコントローラで複数台のモニタを同時に制御する必要がある。複数台のモニタを同時に制御する場合、一般的には制御対象のモニタに同一グループＩＤを割り当て、コントローラからグループＩＤを指定して制御コマンドをマルチキャスト送信する方法が用いられる。複数のモニタに対して、それぞれグループＩＤを手動で割り当てるには、多大な労力を要するため、グループＩＤを自動で割り当てる方法が検討されてきている。特許文献１においては、モニタが、映像信号を受信している間に、コントローラからグループ分けコマンドを受けた場合に、モニタがグループＩＤを設定する方法が開示されている。
【先行技術文献】
【特許文献】
【０００４】
【特許文献１】特開２０１２−１１８３９０号公報
【発明の概要】
【発明が解決しようとする課題】
【０００５】
従来の方法においては、コントローラが、全てのディスプレイにグループ分けコマンドを送信し、ディスプレイが、映像信号を受信中にグループ分けコマンドを受信したか否かによって、グループＩＤを設定するか否かを判定していた。したがって、ユーザは、グループ化の設定をするために、グループ化する対象となるディスプレイをユーザ自身が特定した後に、グループ化する対象となるディスプレイに映像信号を入力しなければならなかった。その結果、グループ化のために煩雑な作業が必要であるとともに、グループ化の設定に長時間を要するという問題が生じていた。
【０００６】
そこで、本発明は上述した点に鑑みてなされたものであり、複数のディスプレイのうちの一部のディスプレイをグループ化する処理を効率化することを目的とする。
【課題を解決するための手段】
【０００７】
上記の課題を解決するために、本発明の制御装置は、複数の表示装置のうちの少なくとも一部の表示装置をグループ化する制御を行う制御装置であって、前記複数の表示装置のそれぞれの属性を取得する属性取得手段と、グループ化する前記表示装置に求められる条件を取得する条件取得手段と、前記属性と前記条件とに基づいて、前記複数の表示装置から、グループ化する前記表示装置を選択する選択手段と、前記選択手段が選択した前記表示装置に、同一のグループ識別情報を設定させる設定手段と、を有することを特徴とする。
【発明の効果】
【０００８】
本発明によれば、複数のディスプレイのうちの一部のディスプレイをグループ化する処理を効率化することができるという効果を奏する。
【図面の簡単な説明】
【０００９】
【図１】本発明の第１の実施形態に係るモニタ制御システム１の概略構成の一例を示す図である。
【図２】第１の実施形態に係るコントローラ１００及びモニタ２００の構成の一例を示すブロック図である。
【図３】ＵＩ部１０１が表示させるグループ設定画面１０の一例を示す図である。
【図４】映像モードを説明するための図である。
【図５】モニタ管理部１０５が管理するモニタ情報の一例を示す図である。
【図６】グループ設定処理がされた際に、表示部２０７が表示するＯＳＤ画面の一例を示す図である。
【図７】モニタ検出処理を行う際のコントローラ１００及びモニタ２００の動作の一例を示すシーケンス図である。
【図８】グループ設定処理を行う際のコントローラ１００及びモニタ２００の動作の一例を示すフローチャートである。
【図９】第１の実施形態の変形例に係るＯＳＤ画面の一例を示す図である。
【図１０】第２の実施形態に係るコントローラ１００及びモニタ２００の構成の一例を示すブロック図である。
【図１１】グループ設定受付処理の際に、表示部２０７が表示するＯＳＤ画面の一例を示す図である。
【図１２】グループ設定受付処理を行う際のモニタ２００の動作の一例を示すフローチャートである。
【図１３】グループ設定変更処理を行う際のコントローラ１００及びモニタ２００の動作の一例を示すフローチャートである。
【図１４】第２の実施形態の変形例におけるグループ設定画面１０の一例を示す図である。
【発明を実施するための形態】
【００１０】
＜第１の実施形態＞
［モニタ制御システムの概要］
図１は、第１の実施形態に係るモニタ制御システム１の概略構成の一例を示す図である。モニタ制御システム１は、コントローラ１００と、複数のモニタ（図１に示すモニタ２００−１、２００−２、２００−３、・・・）とを有する。以下では、説明の便宜上、複数のモニタ２００−１、２００−２、２００−３、・・・を総称して、単にモニタ２００とも呼ぶ。
【００１１】
コントローラ１００と複数のモニタ２００は、無線又は有線で通信可能に接続されている。ここでは、コントローラ１００と複数のモニタ２００は、互いにＬＡＮ（Local Area Network）を介して接続されている。ただし、これに限定されず、コントローラ１００と複数のモニタ２００は、例えばＵＳＢ（Universal Serial Bus）を介して接続されてもよい。
【００１２】
複数のモニタ２００は、映像及び画像等を表示する表示装置であり、例えば液晶表示装置、ＣＲＴ、プラズマディスプレイである。複数のモニタ２００は、特定の空間（例えば撮影現場の画質調整室）内に互いに隣接して配置されている。複数のモニタ２００は、それぞれ異なるモニタ属性を有しうる。モニタ属性は、モニタ２００が映像及び画像を表示する能力を示し、モニタ２００が対応可能な映像モード、モニタ２００の表示特性、又は表示特性の補正のために適用可能なＬＵＴ（Look Up Table）種別等により表される。ここで、表示特性は、色域特性及びガンマ特性のように、モニタ２００に入力されるデータと表示する映像及び画像との関係を示す。映像モードごとに、それぞれ異なる表示特性が規定されている。また、ＬＵＴは、モニタ２００の色域又はガンマを変換するためのカラープロファイルである。例えば、モニタ２００に対応ユーザＬＵＴをセットすることで、モニタ２００は、表示特性を補正することが可能になる。
【００１３】
コントローラ１００は、コントローラ１００に接続された複数のモニタ２００を制御する制御装置であり、例えば一般的なコンピュータである。コントローラ１００は、複数のモニタ２００による表示を同時に制御する。例えば、コントローラ１００は、複数のモニタ２００に同一の映像を表示させたり、単一の映像を分割して表示させたりする。コントローラ１００は、複数のモニタ２００に表示させる映像データ又は画像データを含む映像信号を生成して、モニタ２００に送信してもよい。
【００１４】
また、コントローラ１００は、同一のモニタ属性を有する複数のモニタ２００をグループ化し、同一のグループに属する複数のモニタ２００を同時に制御する。コントローラ１００は、同一のモニタ属性を有する複数のモニタ２００をグループ化するために、まず、複数のモニタ２００のモニタ属性を取得する。また、コントローラ１００は、グループ化するモニタ２００に求められるグループ化条件の入力画面を表示し、ユーザにより入力されたグループ化条件を取得する。続いて、コントローラ１００は、取得したモニタ属性とグループ化条件とに基づいて、複数のモニタ２００の中からグループ条件に合致するモニタ属性を有するモニタ２００を選択し、選択したモニタ２００に同一のグループＩＤを設定させる。具体的には、コントローラ１００は、設定したグループＩＤを、グループ化対象のモニタ２００に送信して記憶させる。
【００１５】
このようにすることで、ユーザは、グループ化条件を指定する簡易な作業で、複数のモニタ２００をグループ化することができるので、複数のモニタ２００のグループ化を短時間で効率的に行うことができる。コントローラ１００は、このようにグループ化されたモニタ２００を同時に制御する。
以下において、コントローラ１００及びモニタ２００の構成及び動作について、詳細に説明する。
【００１６】
［コントローラ１００及びモニタ２００の構成］
図２は、第１の実施形態に係るコントローラ１００及びモニタ２００の構成の一例を示すブロック図である。以下では、コントローラ１００の構成を説明した後に、モニタ２００の構成について説明する。
【００１７】
図２に示すように、コントローラ１００は、ＵＩ部１０１と、制御部１０２と、通信部１０３と、モニタ検出部１０４と、モニタ管理部１０５と、データ管理部１０６とを有する。また、制御部１０２は、属性取得部１０２１と、条件取得部１０２２と、モニタ選択部１０２３と、グループ設定部１０２４とを含む。
【００１８】
ＵＩ部１０１は、モニタ２００の制御等に関するユーザ操作を受け付ける。例えば、ＵＩ部１０１は、表示部にモニタ２００のグループ設定画面を表示し、グループ設定画面を介して、ユーザの入力操作を受け付ける。
【００１９】
図３は、ＵＩ部１０１が表示させるグループ設定画面１０の一例を示す図である。グループ設定画面１０は、条件欄１１と、モニタ欄１２と、実行ボタン１３とを含む。
条件欄１１は、モニタ２００のグループ設定に関する条件一覧を表示する。条件として、図３では映像モードが示されており、具体的には、映像モードであるＳＨＶ、ＤＣＩ、７０９を示す項目が示されている。ユーザは、条件欄１１に示す３つの映像モードの中から一つの映像モードを選択する。図３では、斜線の項目であるＤＣＩが選択されている。
【００２０】
ここで、図４を参照しながら、映像モードについて説明する。
図４は、映像モードを説明するための図である。映像モードは、例えば色域及びガンマの組み合わせにより定義される。映像モードがＳＨＶの場合、色域及びガンマの特性は、ＩＴＵ−Ｒ（International Telecommunication Union Radio-communication sector）勧告ＢＴ．２０２０で規定される。映像モードがＤＣＩの場合、色域及びガンマの特性は、ＤＣＩ（Digital Cinema Initiatives）で規定される。映像モードが７０９の場合、色域及びガンマの特性は、ＩＴＵ−Ｒ勧告ＢＴ．７０９で規定される。
【００２１】
図３に戻って、グループ設定画面１０の説明を続ける。
モニタ欄１２は、コントローラ１００に接続されたモニタ２００の中から、条件欄１１でユーザが選択した条件（映像モード）に合致するモニタ２００の一覧を表示する。モニタ欄１２は、条件に合致するモニタ２００の名称を示す「モニタ名」と、当該モニタ２００のＩＰ（Internet Protocol）アドレスを示す「ＩＰアドレス」とを対応付けて表示する。図３では、モニタ欄１２に条件に合致する５つのモニタ２００（モニタ名が、それぞれＭｏｎｉｔｏｒ１、Ｍｏｎｉｔｏｒ３、Ｍｏｎｉｔｏｒ５、Ｍｏｎｉｔｏｒ６、Ｍｏｎｉｔｏｒ８であるモニタ２００）が表示されている。
【００２２】
実行ボタン１３は、グループ設定処理の実行指示を入力するためのボタンである。ユーザが実行ボタン１３を選択すると、ＵＩ部１０１は、条件欄１１でユーザが選択した条件に関する条件情報を、制御部１０２に出力して、グループ設定処理の実行を要求する。その後、制御部１０２がグループ設定処理を実行することにより、条件欄１１でユーザが選択した条件に合った映像モードに対応したモニタ２００がモニタ欄１２に表示される。
【００２３】
図２に戻って、コントローラ１００の構成の説明を続ける。
制御部１０２は、バスを介してコントローラ１００の各部と接続されたＣＰＵ、ＲＯＭ及びＲＡＭを有する。制御部１０２は、ＲＯＭに記憶されたプログラムをＣＰＵが実行することにより、コントローラ１００を統括的に制御する。例えば、制御部１０２は、複数のモニタ２００のうちの少なくとも一部のモニタ２００をグループ化するグループ設定処理を実行する。グループ設定処理は、主に、属性取得部１０２１、条件取得部１０２２、モニタ選択部１０２３、及びグループ設定部１０２４によって実行される。
【００２４】
属性取得部１０２１は、コントローラ１００に接続された複数のモニタ２００のそれぞれのモニタ属性を取得する。属性取得部１０２１は、モニタ属性として、例えばコントローラ１００に接続されたモニタ２００から、当該モニタ２００が対応している映像モード（以下、対応映像モードという）及び当該モニタ２００に適用可能なＬＵＴ（以下、対応ユーザＬＵＴという）を取得する。属性取得部１０２１は、通信部１０３を介して、それぞれのモニタ２００から対応映像モード及び対応ユーザＬＵＴを取得する。ただし、これに限定されず、属性取得部１０２１は、モニタ２００を特定するための情報（例えば、製造番号）に関連付けられた対応映像モードや対応ユーザＬＵＴをＷｅｂサイトからダウンロードしてもよい。属性取得部１０２１は、取得したモニタ属性をモニタ選択部１０２３に出力する。
【００２５】
条件取得部１０２２は、グループ化するモニタ２００に求められるグループ化条件を取得する。条件取得部１０２２は、グループ化条件として、例えばＵＩ部１０１が表示した図３におけるグループ設定画面１０において、ユーザが選択した映像モード（ＳＨＶ、ＤＣＩ、７０９のいずれか）を取得する。条件取得部１０２２は、取得したグループ化条件をモニタ選択部１０２３に出力する。なお、グループ化条件は、映像モードに限定されず、例えば、対応ユーザＬＵＴ（１Ｄ−ＬＵＴ、３Ｄ−ＬＵＴ）の有無、又は対応ユーザＬＵＴの種類であってもよい。
【００２６】
モニタ選択部１０２３は、モニタ属性が、所定の表示特性を満たしていることを示しているモニタ２００を選択する。具体的には、モニタ選択部１０２３は、モニタ属性と、表示特性を規定するグループ化条件とに基づいて、コントローラ１００に接続された複数のモニタ２００から、グループ化するモニタ２００を選択する。より具体的には、モニタ選択部１０２３は、コントローラ１００に接続されているモニタ２００のうち、グループ化条件に規定されている表示特性に対応するモニタ属性を有するモニタ２００を、グループ化するモニタとして選択する。モニタ選択部１０２３は、選択したモニタ２００を特定する情報とグループ化条件を示す情報とを、グループ設定部１０２４に出力する。
【００２７】
グループ化条件が、例えば図３に示すように、映像モードがＤＣＩであるという条件である場合には、ＤＣＩに対応可能なモニタ２００が、グループ化されるモニタ２００として選択される。図３においては、モニタ名がそれぞれＭｏｎｉｔｏｒ１、Ｍｏｎｉｔｏｒ３、Ｍｏｎｉｔｏｒ５、Ｍｏｎｉｔｏｒ６、Ｍｏｎｉｔｏｒ８であるモニタ２００が、グループ化されるモニタ２００として選択されている。
【００２８】
モニタ選択部１０２３は、モニタ属性が、表示特性を補正可能であることを示しているモニタ２００を選択してもよい。コントローラ１００に接続された複数のモニタ２００の中には、ユーザＬＵＴを適用可能なモニタ２００と、ユーザＬＵＴを適用不可能なモニタ２００とが混在する場合がある。このような場合に、モニタ選択部１０２３は、表示特性を補正することができる、ユーザＬＵＴを適用可能なモニタ２００を、グループ化するモニタ２００として選択する。モニタ選択部１０２３は、例えば、ユーザが選択した映像モードに合致するモニタ２００が無い場合に、モニタ選択部１０２３は、ユーザＬＵＴを適用可能なモニタ２００を、グループ化するモニタとして選択する。
【００２９】
なお、本実施形態におけるユーザＬＵＴとしては、条件取得部１０２２が取得した映像モードと同等のガンマ特性を再現可能な１Ｄ−ＬＵＴと、条件取得部１０２２が取得した映像モードと同等の色域を再現可能な３Ｄ−ＬＵＴとを想定している。このように、コントローラ１００が複数種類のユーザＬＵＴを保持している場合、モニタ選択部１０２３は、例えばモニタ２００が全てのユーザＬＵＴに対応可能である場合に、ユーザＬＵＴを適用可能と判断する。モニタ選択部１０２３は、複数のユーザＬＵＴのうち、ＵＩ部１０１を介してユーザにより選択されたユーザＬＵＴをモニタ２００が適用可能である場合に、当該モニタ２００をグループ化するモニタとして選択してもよい。
【００３０】
グループ設定部１０２４は、モニタ選択部１０２３が選択したモニタ２００に、同一のグループ識別情報であるグループＩＤを設定させる。具体的には、グループ設定部１０２４は、通信部１０３を介して、モニタ選択部１０２３が選択したモニタ２００に対して、同一のグループＩＤを送信し、グループＩＤを受信した当該モニタ２００においてグループＩＤを記憶させる。例えば、グループ化条件が図３に示す映像モードＤＣＩである場合、グループ設定部１０２４は、モニタ名がそれぞれＭｏｎｉｔｏｒ１、Ｍｏｎｉｔｏｒ３、Ｍｏｎｉｔｏｒ５、Ｍｏｎｉｔｏｒ６、Ｍｏｎｉｔｏｒ８であるモニタ２００に対してグループＩＤを送信し、各モニタ２００においてグループＩＤを設定させる。
【００３１】
また、グループ設定部１０２４は、モニタ選択部１０２３が選択したモニタ２００に、表示特性を補正するための補正情報を送信してもよい。例えば、グループ設定部１０２４は、補正情報としてのユーザＬＵＴを適用可能なモニタ２００に、通信部１０３を介してユーザＬＵＴを送信する。ユーザＬＵＴを受信したモニタ２００は、ユーザＬＵＴを適用することで、グループ化条件に合致することになる。そして、ユーザＬＵＴを適用したモニタ２００は、グループ化の対象のモニタとしてグループＩＤを設定する。
【００３２】
グループ設定部１０２４は、グループ識別情報を設定したモニタ２００以外のモニタ２００に、グループ化しなかった旨を通知する。例えば、グループ化条件が図３に示す映像モードＤＣＩである場合には、モニタ名がそれぞれＭｏｎｉｔｏｒ１、Ｍｏｎｉｔｏｒ３、Ｍｏｎｉｔｏｒ５、Ｍｏｎｉｔｏｒ６、Ｍｏｎｉｔｏｒ８であるモニタ２００以外のモニタ２００に対して、グループ化しなかった旨を通知する。
【００３３】
通信部１０３は、コントローラ１００と接続されたモニタ２００との間で、無線又は有線で通信を行う。例えば、通信部１０３は、制御部１０２やモニタ検出部１０４からの要求に従い、モニタ２００に制御コマンドを送信する。制御コマンドには、制御コマンドを送信したコントローラ１００を識別する識別情報が含まれる。
【００３４】
モニタ検出部１０４は、コントローラ１００に接続されたモニタ２００の検出を行う。モニタ検出部１０４は、コントローラ１００に接続されたモニタ２００のモニタ属性を取得するモニタ検出処理を行う。モニタ検出部１０４は、検出結果を制御部１０２とモニタ管理部１０５とに出力する。
【００３５】
モニタ管理部１０５は、モニタ検出部１０４から入力された検出結果に基づいて、検出されたモニタ２００のモニタ情報を管理する。モニタ管理部１０５は、管理しているモニタ情報を制御部１０２に提供する。モニタ管理部１０５は、例えば図５に示すモニタ情報を記憶する。
【００３６】
図５は、モニタ管理部１０５が管理するモニタ情報の一例を示す図である。モニタ情報は、モニタ名、ＩＰアドレス、ＵＵＩＤ（Universally Unique IDentifier）、対応映像モード、及び対応ユーザＬＵＴを、モニタ２００毎に関連づけた情報である。
【００３７】
モニタ名は、モニタ２００の名称である。ＩＰアドレスは、ネットワーク上のモニタ２００を識別するための情報である。ＩＰアドレスは、コントローラ１００がモニタ２００の制御コマンドを送信する際の制御コマンドの送信先アドレスとして用いられる。ＵＵＩＤは、機器に割り当てられるユニークなＩＤである。ＵＵＩＤは、個々のモニタ２００を識別するために用いられる。
【００３８】
対応映像モードは、前述した映像モードのうち、検出されたモニタ２００が対応している映像モードである。図５では、モニタ名が「Ｍｏｎｉｔｏｒ１」のモニタ２００の場合、対応映像モードはＳＨＶ、ＤＣＩ、７０９であることを示している。
【００３９】
対応ユーザＬＵＴは、１Ｄ−ＬＵＴ及び３Ｄ−ＬＵＴのモニタ２００への適用可否を示す情報である。１Ｄ−ＬＵＴは、ＲＧＢ単色での入出力変換テーブルであり、ＲＧＢ各色で共通の１Ｄ−ＬＵＴを適用することにより、ガンマ補正が可能である。また、３Ｄ−ＬＵＴは、ＲＧＢ混色での入出力変換テーブルであり、色域補正が可能である。
【００４０】
１Ｄの項目が「○」の場合にはモニタ２００に１Ｄ−ＬＵＴを適用可能であることを示し、「×」の場合にはモニタ２００に１Ｄ−ＬＵＴを適用不可能であることを示す。また、３Ｄの項目が「○」の場合にはモニタ２００に３Ｄ−ＬＵＴを適用可能であることを示し、「×」の場合にはモニタ２００に３Ｄ−ＬＵＴを適用不可能であることを示す。モニタ２００に１Ｄ−ＬＵＴ及び３Ｄ−ＬＵＴを適用することで、前述したＳＨＶの映像モードのような新しい映像規格の色域及びガンマに対応することができる。
【００４１】
図２に戻って、コントローラ１００の構成の説明を続ける。
データ管理部１０６は、コントローラ１００の制御に必要なデータを管理する。例えば、データ管理部１０６は、モニタ２００に適用する１Ｄ−ＬＵＴ及び３Ｄ−ＬＵＴを管理する。データ管理部１０６は、管理する１Ｄ−ＬＵＴ及び３Ｄ−ＬＵＴを、モニタ２００から取得してもよいし、Ｗｅｂサイトからダウンロードしてもよい。
【００４２】
続いて、モニタ２００の構成について説明する。
図２に示す複数のモニタ２００は、同一の構成なので、以下では一つのモニタ２００（具体的には、モニタ２００−１）を例に挙げて説明する。モニタ２００は、通信部２０１と、Ｉ／Ｆ部２０２と、制御部２０３と、データ管理部２０４と、映像入力部２０５と、補正処理部２０６と、表示部２０７とを有する。
【００４３】
通信部２０１は、コントローラ１００との間で、無線又は有線で通信を行い、コントローラ１００から受信した制御コマンドを、制御部２０３に出力する。また、通信部２０１は、制御コマンドを受信する際に、当該制御コマンドを送信したコントローラ１００から、当該コントローラ１００を識別する識別情報を受信する。
【００４４】
通信部２０１は、モニタ検出処理やグループ設定処理の際に、コントローラ１００との間で各種情報を送受信する。具体的には、通信部２０１は、モニタ検出処理の際に、データ管理部２０４に記憶されたモニタ属性に関する情報をコントローラ１００に送信する。通信部２０１は、グループ設定処理の際に、グループＩＤをコントローラ１００から受信する。通信部２０１は、グループ設定処理の際に、表示特性を補正するための補正情報をコントローラ１００から受信する。
【００４５】
Ｉ／Ｆ部２０２は、モニタ２００に対してユーザが操作を行うためのインタフェースである。Ｉ／Ｆ部２０２は、マウスやキーボードを含み、例えばモニタ２００の設定に関するユーザの入力操作を受け付ける。
【００４６】
制御部２０３は、バスを介してモニタ２００の各部と接続されたＣＰＵ、ＲＯＭ及びＲＡＭを有する。制御部２０３は、ＲＯＭに記憶されたプログラムをＣＰＵが実行することにより、モニタ２００を統括的に制御する。
【００４７】
制御部２０３は、コントローラ１００におけるモニタ検出処理やグループ設定処理に応じた内部処理を行う。例えば、グループ設定処理において、制御部２０３は、グループＩＤを送信したコントローラ１００の識別情報が、データ管理部２０４に管理された所定のコントローラ識別情報と一致するか否かを判定する。そして、制御部２０３は、識別情報が一致した場合に、グループＩＤをデータ管理部２０４に記憶させる。
【００４８】
データ管理部２０４は、モニタ２００の制御に必要なデータを管理する。データ管理部２０４は、モニタ２００のモニタ情報、例えば前述した図５に示すモニタ情報（モニタ名、ＩＰアドレス、ＵＵＩＤ、対応映像モード、及び対応ユーザＬＵＴ）を管理する。このため、データ管理部２０４は、表示特性を示す特性情報を記憶する第１記憶手段の機能を有する。
【００４９】
また、データ管理部２０４は、コントローラ１００により設定されたグループＩＤを管理する。このため、データ管理部２０４は、グループ識別情報を記憶する第２記憶手段の機能も有する。なお、上記の場合に限定されず、特性情報を記憶するデータ管理部２０４と、グループ識別情報を管理するデータ管理部２０４とが、異なってもよい。
【００５０】
また、データ管理部２０４は、グループ設定処理の実行要求を受けるコントローラ１００を特定するコントローラ識別情報を管理する。特定のコントローラ１００は、例えばユーザが設定しうる。これにより、特定のコントローラ１００以外のコントローラからの要求に応じて、ユーザの意図に反してグループ設定処理が実行されることを防止できる。ただし、コントローラ識別情報を用いなくてもよく、特定のコントローラ１００以外のコントローラからの要求も受け付けるようにしても、本実施例は成立し得る。  
【００５１】
映像入力部２０５には、外部から映像信号が入力される。映像入力部２０５は、例えば映像信号が入力される入力端子を含む。入力される信号としては、例えばＲＧＢ信号、ＹＵＶ信号、ＹＣｂＣｒ信号等がある。映像入力部２０５は、入力された映像信号を補正処理部２０６に出力する。
【００５２】
補正処理部２０６は、映像入力部２０５から入力された映像信号に対して、ガンマ補正や色域補正等の補正処理を行う。補正処理部２０６は、補正処理された映像信号を表示部２０７に出力する。
【００５３】
補正処理部２０６は、補正情報に基づいて表示特性を補正する。すなわち、補正処理部２０６は、制御部２０３からの要求に従い、１Ｄ−ＬＵＴ及び３Ｄ−ＬＵＴを適用する。そして、補正処理部２０６は、適用したＬＵＴに応じたガンマ補正及び色域補正を映像信号に対して行う。
【００５４】
表示部２０７は、例えば液晶パネルで構成され、補正処理部２０６から入力された映像信号を表示する。また、表示部２０７は、制御部２０３で生成されたＯＳＤ画面を表示する。
【００５５】
図６は、グループ設定処理がされた際に、表示部２０７が表示するＯＳＤ画面の一例を示す図である。
図６（ａ）は、モニタ２００がグループ設定対象である場合のＯＳＤ画面２０を示す。グループ設定処理によりモニタ２００がグループ設定された場合には、ユーザにモニタ２００がグループ設定されたことを通知するために、表示部２０７は図６（ａ）に示すＯＳＤ画面２０を表示する。ＯＳＤ画面２０には、グループＩＤ、グループ設定条件、１Ｄ−ＬＵＴ及び３Ｄ−ＬＵＴの適用有無を示す内容が含まれる。
【００５６】
図６（ｂ）は、モニタ２００がグループ設定対象外である場合のＯＳＤ画面を示す。グループ設定処理によりモニタ２００がグループ設定されない場合には、ユーザにモニタ２００がグループ設定されていないことを通知するために、表示部２０７は図６（ｂ）に示すＯＳＤ画面２０を表示する。ＯＳＤ画面２０には、グループＩＤ、及びグループ設定条件を示す内容が含まれる。
図６（ａ）又は図６（ｂ）に示すＯＳＤ画面２０が表示されることで、ユーザは、入力したグループ化条件に対するモニタ２００のグループ設定の結果を容易に把握できる。
【００５７】
［コントローラ１００及びモニタ２００の動作］
上述した構成を有するコントローラ１００及びモニタ２００の動作として、以下では、モニタ検出処理を行う際の動作、グループ設定処理を行う際の動作の順に説明する。
【００５８】
（モニタ検出処理）
図７は、モニタ検出処理を行う際のコントローラ１００及びモニタ２００の動作の一例を示すシーケンス図である。なお、図７では説明の便宜上、一つのモニタ２００のみが示されているが、実際には複数のモニタ２００とコントローラ１００との間で処理が行われる。また、図７では、コントローラ１００及びモニタ２００の構成要素のうちのモニタ検出処理に関連する構成要素を示し、他の構成要素を省略している。
【００５９】
まず、コントローラ１００のモニタ検出部１０４は、コントローラ１００に接続された複数のモニタ２００に対して、通信部１０３を介して「モニタ検出要求」を送信する。「モニタ検出要求」は、例えばＵＰｎＰ（Universal Plug and Play）のディスカバリー機能のＭ−ＳＥＡＲＣＨメッセージであり、同一ネットワークに接続されたモニタ２００に対してマルチキャスト送信される。なお、「モニタ検出要求」を送信するタイミングは、例えば、予め設定されたタイミングや、コントローラ１００に新たにモニタ２００に接続されたタイミング等である。
【００６０】
次に、「モニタ検出要求」が送信された複数のモニタ２００の各々において、制御部２０３は、通信部２０１を介して受信した「モニタ検出要求」に応答して、データ管理部２０４からモニタ２００のＩＰアドレス及びＵＵＩＤを取得する。次に、制御部２０３は、取得したＩＰアドレス及びＵＵＩＤを、通信部２０１を介してコントローラ１００に送信する。
【００６１】
次に、コントローラ１００のモニタ検出部１０４は、通信部１０３を介して、複数のモニタ２００からＩＰアドレス及びＵＵＩＤを含む応答メッセージを受信する。次に、モニタ検出部１０４は、コントローラ１００に接続された複数のモニタ２００に対して、通信部１０３を介して「モニタ情報取得要求」を送信する。
【００６２】
次に、「モニタ情報取得要求」が送信された複数のモニタ２００の各々において、制御部２０３は、通信部２０１を介して受信した「モニタ情報取得要求」に応答して、データ管理部２０４からモニタ２００のモニタ情報を取得する。取得されるモニタ情報は、モニタ２００のモニタ名、対応映像モード、対応ユーザＬＵＴである。次に、制御部２０３は、取得したモニタ情報を、通信部２０１を介してコントローラ１００に送信する。
【００６３】
次に、コントローラ１００のモニタ検出部１０４は、通信部１０３を介して、複数のモニタ２００からモニタ情報を含む応答メッセージを受信する。次に、モニタ検出部１０４は、モニタ２００から取得したモニタ名、ＩＰアドレス、ＵＵＩＤ、対応映像モード、対応ユーザＬＵＴを含むモニタ情報の記憶をモニタ管理部１０５に要求する。
【００６４】
次に、モニタ管理部１０５は、モニタ検出部１０４から取得したモニタ情報と、モニタ２００とを対応づけて記憶する。例えば、モニタ管理部１０５は、図５に示す形式でモニタ情報を記憶する。これにより、モニタ検出処理が完了する。
【００６５】
（グループ設定処理）
図８は、グループ設定処理を行う際のコントローラ１００及びモニタ２００の動作の一例を示すフローチャートである。
【００６６】
まず、コントローラ１００の制御部１０２は、モニタ検出処理で取得されたモニタ情報が、モニタ管理部１０５に記憶されているか否かを判定する（ステップＳ１１）。制御部１０２が、モニタ管理部１０５にモニタ情報が記憶されていないと判定した場合、すなわちステップＳ１１においてＮｏと判定した場合には、グループ設定処理は終了する。
【００６７】
一方で、制御部１０２が、モニタ管理部１０５にモニタ情報が記憶されていると判定した場合、すなわちステップＳ１１においてＹｅｓと判定された場合には、条件取得部１０２２は、グループ化条件を取得する（ステップＳ１２）。具体的には、条件取得部１０２２は、グループ化条件としてユーザが選択した映像モードを、ＵＩ部１０１から取得する。
【００６８】
次に、属性取得部１０２１は、モニタ属性として、モニタ管理部１０５から一つのモニタ２００のモニタ情報を取得する（ステップＳ１３）。ここで、取得されるモニタ情報は、グループ設定処理が行われていないモニタ２００のモニタ情報、すなわちステップＳ１３で未取得のモニタ情報である。
【００６９】
次に、モニタ選択部１０２３は、ステップＳ１３で取得したモニタ情報に、ステップＳ１２で取得したグループ化条件（具体的には、映像モード）と合致する情報が含まれているか否かを判定する（ステップＳ１４）。モニタ選択部１０２３が、モニタ情報にグループ化条件に対応する情報が含まれていると判定した場合、すなわちステップＳ１４においてＹｅｓと判定した場合には、当該モニタ２００を、グループ化されるモニタとして選択する。そして、グループ設定部１０２４は、モニタ選択部１０２３が選択したモニタ２００に、通信部１０３を介して「グループＩＤ適用要求」を送信する（ステップＳ１７）。「グループＩＤの適用要求」には、モニタ２００に設定するグループＩＤが含まれている。
【００７０】
一方で、モニタ選択部１０２３が、モニタ情報にグループ化条件（映像モード）と合致する情報が含まれていないと判定した場合、すなわちステップＳ１４においてＮｏと判定した場合には、当該モニタ２００にユーザＬＵＴを適用することが可能か否かを判定する（ステップＳ１５）。例えば、モニタ選択部１０２３は、図５に示すモニタ情報のうち、対応ユーザＬＵＴの「１Ｄ」及び「３Ｄ」の項目がいずれも「○」である場合に、モニタ２００にユーザＬＵＴを適用することが可能であると判定する。
【００７１】
モニタ選択部１０２３が、モニタ２００にユーザＬＵＴを適用可能であると判定した場合、すなわちステップＳ１５でＹｅｓと判定した場合には、当該モニタ２００を、グループ化されるモニタとして選択する。そして、グループ設定部１０２４は、データ管理部１０６から１Ｄ−ＬＵＴ及び３Ｄ−ＬＵＴを取得して、通信部１０３を介してモニタ２００に送信する（ステップＳ１６）。
【００７２】
１Ｄ−ＬＵＴ及び３Ｄ−ＬＵＴを受信したモニタ２００において、制御部２０３は、受信したＬＵＴを補正処理部２０６に適用させる。ここで、モニタ２００に適用される１Ｄ−ＬＵＴは、ステップＳ１２で取得した映像モードと同等のガンマ特性を再現することができる。また、モニタ２００に適用される３Ｄ−ＬＵＴは、ステップＳ１２で取得した映像モードと同等の色域を再現することができる。
【００７３】
ステップＳ１６の後に、グループ設定部１０２４は、モニタ２００に、通信部１０３を介して「グループＩＤの適用要求」を送信する（ステップＳ１７）。「グループＩＤの適用要求」には、モニタ２００に設定するグループＩＤが含まれている。「グループＩＤの適用要求」を受信したモニタ２００において、制御部２０３は、通信部２０１を介して受信される「グループＩＤの適用要求」に含まれるグループＩＤを取得し、データ管理部２０４に記憶する。
【００７４】
次に、制御部１０２は、モニタ２００がグループ設定対象である旨の通知を行うことを要求する「グループ設定結果の通知要求」を、通信部１０３を介してモニタ２００に送信する（ステップＳ１８）。この際、制御部１０２は、グループＩＤやグループ化条件を含む情報も、併せてモニタ２００に送信する。「グループ設定結果の通知要求」を受信したモニタ２００の表示部２０７は、前述した図６（ａ）に示すＯＳＤ画面を表示する。
【００７５】
一方で、ステップＳ１５においてＮｏと判定された場合、すなわちモニタ選択部１０２３が、モニタ２００にユーザＬＵＴを適用することが不可能であると判定した場合には、制御部１０２は、当該モニタ２００がグループ設定対象外である旨の通知を行うことを要求する「グループ設定結果の通知要求」を、通信部１０３を介してモニタ２００に送信する（ステップＳ１９）。この際、制御部１０２は、グループＩＤやグループ化条件を含む情報も、併せてモニタ２００に送信する。「グループ設定結果の通知要求」を受信したモニタ２００の表示部２０７は、前述した図６（ｂ）に示すＯＳＤ画面を表示する。
【００７６】
ステップＳ１８又はステップＳ１９の後に、制御部１０２は、ステップＳ１３で未取得のモニタ情報があるか否かを判定する（ステップＳ２０）。制御部１０２が、未取得のモニタ情報があると判定した場合、すなわちステップＳ２０においてＮｏと判定した場合には、上述したステップＳ１３〜Ｓ１９の処理を繰り返す。一方で、制御部１０２が、未取得のモニタ情報が無いと判定した場合、すなわちステップＳ２０においてＹｅｓと判定した場合には、グループ設定処理が終了する。
【００７７】
［第１の実施形態の効果］
以上説明したとおり、第１の実施形態に係るコントローラ１００は、当該コントローラ１００に接続された複数のモニタ２００のそれぞれのモニタ属性と、グループ化するモニタ２００に求められるグループ化条件とを取得する。そして、コントローラ１００は、モニタ属性とグループ化条件とに基づいて、複数のモニタ２００からグループ化するモニタ２００を選択し、選択したモニタ２００に同一のグループＩＤを設定させる。
これにより、ユーザが指定したグループ化条件（例えば、映像モード）に合致するモニタ２００に対して同一のグループＩＤを設定できる。ユーザは、グループ化条件を指定する簡易な作業で、モニタ２００をグループ化できるので、複数のモニタ２００のグループ化を短時間で効率的に行うことができる。
【００７８】
また、コントローラ１００は、映像モードが合致しなくても、ユーザＬＵＴを適用することでグループ化条件に合致するモニタ２００に対して、ユーザＬＵＴを適用した上で同一のグループＩＤを設定できる。これにより、モニタ２００が、ユーザが指定した映像モードに対応していない場合であっても、モニタ２００の特性を有効に活用して、モニタ２００をグループ化できる。
【００７９】
また、コントローラ１００は、グループ設定を行ったモニタ２００に対してグループ対象である旨の通知を行わせ、グループ設定が行われなかったモニタ２００に対してグループ対象外である旨の通知を行わせる。これにより、ユーザは、グループ設定の結果を容易に認識できる。
【００８０】
［第１の実施形態の変形例］
上記の説明においては、グループ化条件が映像モードである場合について説明したが、これに限定されない。例えば、グループ化条件が、モニタ２００のパネルや入力端子の種類、画面サイズ等の条件であってもよい。
【００８１】
また、上記の説明においては、グループ設定結果のユーザへの通知をモニタ２００のＯＳＤ画面で行う場合について説明したが、これに限定されない。例えば、グループ設定結果を通知するためのＬＥＤ（Light Emitting Diode）をモニタ２００に配置し、ＬＥＤの発光色や点滅／点灯等の発光状態によってグループ設定結果を通知してもよい。また、ＯＳＤ画面の表示内容は、図６に示す内容に限定されず、例えば、グループ設定処理を行ったコントローラ１００に関する情報を含むなど、他の情報を含んでもよい。
【００８２】
また、上記の説明においては、コントローラ１００が、ユーザＬＵＴの適用によりグループ化条件を満たすモニタ２００に対して、ユーザＬＵＴを適用して上でグループ設定を行う場合について説明したが、この処理の実行の有無をユーザに選択させてもよい。例えば、コントローラ１００は、ＵＩ部１０１にユーザに選択させるための画面等を表示させてもよい。
【００８３】
また、上記の説明においては、ユーザＬＵＴとして１Ｄ−ＬＵＴ及び３Ｄ−ＬＵＴの両方を適用する場合について説明したが、これに限定されず、例えばいずれか一方を適用してもよい。この場合、１Ｄ−ＬＵＴと３Ｄ−ＬＵＴの両方を適用するか、いずれか一方を適用するかをユーザに選択させてもよい。
図９は、第１の実施形態の変形例に係るＯＳＤ画面の一例を示す図である。１Ｄ−ＬＵＴもしくは３Ｄ−ＬＵＴのいずれか一方が適用された場合、モニタ２００の表示部２０７は、図９に示すＯＳＤ画面２０を表示してもよい。これにより、ユーザは、グループ設定の結果、どちらのＬＵＴが適用されたかを容易に判別することができる。
【００８４】
＜第２の実施形態＞
［コントローラ１００及びモニタ２００の構成］
第２の実施形態では、モニタ２００において、グループ設定の許可又は拒否の選択をユーザから受け付けるグループ設定受付処理と、コントローラ１００においてグループ設定を変更するグループ設定変更処理とが行われる点で、第１の実施形態と異なる。
【００８５】
図１０は、第２の実施形態に係るコントローラ１００及びモニタ２００の構成の一例を示すブロック図である。図２に示した第１の実施形態に係るコントローラ１００及びモニタ２００と同じ機能のブロックには、同一の符号を付している。以下、図１０を参照して、主に、第１の実施形態と相違する点について説明する。
【００８６】
モニタ２００の制御部２０３は、グループ設定受付処理を行う設定受付部２０３１を有する。設定受付部２０３１は、設定したグループに属することを許可するか否かに関する設定を受け付ける。具体的には、設定したグループに属することを許可するか否かは、例えば、表示部２０７に図１１に示すＯＳＤ画面を表示させることで、Ｉ／Ｆ部２０２を介してユーザにより選択可能となっている。
【００８７】
図１１は、グループ設定受付処理の際に、表示部２０７が表示するＯＳＤ画面の一例を示す図である。図１１（ａ）には、モニタ２００にグループＩＤが適用された場合、すなわちグループ設定対象になった場合に、グループ設定結果の許可又は拒否を選択するためのＯＳＤ画面２０が示されている。図１１（ｂ）には、モニタ２００にグループＩＤが適用されなかった場合、すなわちグループ設定対象外となった場合に、グループ設定結果の許可又は拒否を選択するためのＯＳＤ画面２０が示されている。
【００８８】
図１１（ａ）又は図１１（ｂ）のＯＳＤ画面２０において、ユーザが「はい」を選択した場合にはグループ設定結果の許可を要求したことになり、ユーザが「いいえ」を選択した場合にはグループ設定結果の拒否を要求したことになる。なお、図１１（ａ）及び図１１（ｂ）のＯＳＤ画面２０には、ユーザにグループに関する情報を提供すべく、グループＩＤとグループ化条件も併せて表示されている。
【００８９】
図１０に戻って、設定受付部２０３１の説明を続ける。
設定受付部２０３１が、グループに属することを許可しない設定を受け付けた場合、モニタ２００の通信部２０１は、設定受付部２０３１の要求を受けて、グループＩＤを受信したことに応じて、グループ化を拒否することを示す拒否情報をコントローラ１００に送信する。具体的には、通信部２０１は、拒否情報として、グループＩＤの初期化要求を送信する。また、設定受付部２０３１が、グループに属しないことを許可しない設定を受け付けた場合、通信部２０１は、グループＩＤの適用要求を送信する。
【００９０】
コントローラ１００の制御部１０２は、グループ設定変更処理を行う設定変更部１０２５を有する。設定変更部１０２５は、設定受付部２０３１によるグループ設定受付処理の結果を受けて、グループ設定変更処理を行う。例えば、設定変更部１０２５は、モニタ２００から初期化要求を受信した場合には、モニタ２００に設定したグループＩＤを初期化する。また、設定変更部１０２５は、モニタ２００からグループＩＤの適用要求を受信した場合には、本来ならグループ化条件に合致せずグループ化されなかったモニタ２００にグループＩＤを設定する。これにより、ユーザの意向を加味したモニタ２００のグループＩＤを設定できる。
【００９１】
また、設定変更部１０２５は、グループＩＤの設定を拒否することを示す情報をモニタ２００から受信した場合、当該モニタ２００がグループ化を拒否したことを示す情報を、当該モニタ２００に関連付けてモニタ管理部１０５に記憶させる。これにより、各モニタ２００の設定変更後のグループＩＤを管理することができる。
【００９２】
［コントローラ１００及びモニタ２００の動作］
第２の実施形態では、グループ設定処理後に、グループ設定受付処理とグループ設定変更処理が行われる。以下では、グループ設定受付処理及びグループ設定変更処理を行う際のコントローラ１００及びモニタ２００の動作について説明する。
【００９３】
（グループ設定受付処理）
図１２は、グループ設定受付処理を行う際のモニタ２００の動作の一例を示すフローチャートである。グループ設定受付処理は、図８に示すグループ設定処理のステップＳ１８又はステップＳ１９が終了した時点、すなわちモニタ２００でグループ設定結果が通知された時点で、開始される。
【００９４】
まず、モニタ２００の設定受付部２０３１は、Ｉ／Ｆ部２０２からグループ設定結果の許可又は拒否の要求を取得する（ステップＳ３１）。ここで、グループ設定結果の許可又は拒否の要求は、例えば、表示部２０７に前述した図１１に示すＯＳＤ画面を表示させることで、Ｉ／Ｆ部２０２を介してユーザにより選択可能となっている。
【００９５】
設定受付部２０３１は、ステップＳ３１で取得した要求が、グループ設定結果の許可要求であるか、又はグループ設定結果の拒否要求であるかを判定する（ステップＳ３２）。設定受付部２０３１が、取得した要求が許可要求であると判定した場合、すなわちステップＳ３２においてＮｏと判定した場合には、グループ設定受付処理を終了する。
【００９６】
設定受付部２０３１が、取得した要求が拒否要求であると判定した場合、すなわちステップＳ３２においてＹｅｓと判定した場合には、モニタ２００がグループ設定対象内であるか否かを判定する（ステップＳ３３）。設定受付部２０３１が、モニタ２００がグループ設定対象内であると判定した場合、すなわちステップＳ３３においてＹｅｓと判定した場合には、通信部２０１を介してコントローラ１００に「グループ設定の変更要求」を送信する（ステップＳ３４）。ステップＳ３４で送信される「グループ設定の変更要求」は、モニタ２００に設定されたグループＩＤを初期化する要求である。
【００９７】
設定受付部２０３１が、モニタ２００がグループ設定対象外であると判定した場合、すなわちステップＳ３３においてＮｏと判定した場合には、通信部２０１を介してコントローラ１００に「グループ設定の変更要求」を送信する（ステップＳ３５）。ステップＳ３５で送信される「グループ設定の変更要求」は、本来ならグループ化されなかったモニタ２００にグループＩＤを適用する要求である。制御部２０３は、グループ設定処理のステップＳ１９（図８）で受信した「グループ設定結果の通知要求」に含まれるグループＩＤ及びグループ化条件を、「グループ設定の変更要求」に含めて送信する。
【００９８】
ステップＳ３４又はステップＳ３５の「グループ設定の変更要求」がコントローラ１００に送信されると、モニタ２００のグループ設定受付処理が終了する。次に、グループ設定の変更要求に応じたグループ設定変更処理について説明する。
【００９９】
（グループ設定変更処理）
図１３は、グループ設定変更処理を行う際のコントローラ１００及びモニタ２００の動作の一例を示すフローチャートである。
【０１００】
まず、コントローラ１００の設定変更部１０２５は、通信部１０３を介してモニタ２００から「グループ設定の変更要求」を受信する（ステップＳ４１）。この「グループ設定の変更要求」には、グループＩＤ及びグループ化条件が含まれている。次に、設定変更部１０２５は、受信した「グループ設定の変更要求」の要求内容が、グループＩＤの適用か、又はグループＩＤの初期化かを判定する（ステップＳ４２）。
【０１０１】
設定変更部１０２５が、要求内容がグループＩＤの適用であると判定した場合、すなわちステップＳ４２においてＹｅｓと判定した場合には、通信部１０３を介してモニタ２００に「グループＩＤの適用要求」を送信する（ステップＳ４３）。ステップＳ４３では、図８に示したグループ設定処理のステップＳ１７と同じ処理が行われる。ここで、送信される「グループＩＤの適用要求」には、ステップＳ４１で取得したグループＩＤ及びグループ化条件が含まれる。通信部２０１を介して受信される「グループＩＤの適用要求」を受信したモニタ２００において、制御部２０３は、「グループＩＤの適用要求」に含まれるグループＩＤを取得し、データ管理部２０４に記憶する。
【０１０２】
設定変更部１０２５が、要求内容がグループＩＤの初期化であると判定した場合、すなわちステップＳ４２においてＮｏと判定した場合には、通信部１０３を介してモニタ２００に「グループＩＤ初期化要求」を送信する（ステップＳ４４）。通信部２０１を介して「グループＩＤ初期化要求」を受信したモニタ２００において、制御部２０３は、データ管理部２０４に記憶されていたグループＩＤを削除する。これにより、モニタ２００に適用されたグループＩＤが初期化される。
【０１０３】
［第２の実施形態の効果］
以上説明したとおり、第２の実施形態においては、コントローラ１００が行ったモニタ２００のグループ設定の結果を、モニタ２００側で許可又は拒否することができる。この結果、モニタ２００のユーザの意向を加味したグループ設定を行うことができる。
また、ユーザが設定結果を拒否した場合には、グループ設定されたグループＩＤを初期化することで、又はグループ化条件に合致せずグループ化されなかったモニタ２００にグループＩＤを適用することで、より利便性の高いグループＩＤの設定を実現できる。
【０１０４】
［第２の実施形態の変形例］
上記の説明においては、モニタ２００でグループ設定結果を拒否した場合に、コントローラ１００でグループ設定の変更を行う場合について説明したが、これに限定されない。例えば、コントローラ１００の代わりにモニタ２００で、グループ設定の変更を行ってもよい。すなわち、モニタ２００がコントローラ１００に要求することなく、モニタ２００がグループＩＤの初期化又はグループＩＤの適用を行ってもよい。
【０１０５】
また、上述したグループ設定変更処理において、コントローラ１００は、図１４に示すようにグループ設定の変更結果をユーザに通知してもよい。
図１４は、第２の実施形態の変形例におけるグループ設定画面１０の一例を示す図である。図１４に示すグループ設定画面１０は、コントローラ１００のＵＩ部１０１によって表示される。グループ設定画面１０には、モニタ欄１２に「モニタ名」と「ＩＰアドレス」に加えて「変更」の項目が追加されている。「変更」の項目を追加することで、グループ設定結果の変更のステータスが分かるようになっている。具体的には、「変更」の項目が「なし」の場合には、グループ設定の変更がなかったことを示し、「変更」の項目が「削除」の場合には、グループ設定されたモニタ２００がグループ設定対象外になったことを示す。また、「変更」の項目が「追加」の場合には、グループ設定されなかったモニタ２００がグループ設定対象になったことを示す。このように、コントローラ１００がグループ設定の変更結果を表示することで、ユーザの意向に基づいて設定が変更された内容を把握しやすくなる。
【０１０６】
以上、本発明を実施の形態を用いて説明したが、本発明の技術的範囲は上記実施の形態に記載の範囲には限定されず、その要旨の範囲内で種々の変形及び変更が可能である。例えば、上記の説明においては、コントローラ１００とモニタ２００とがＬＡＮを介して接続する場合について説明したが、これに限定されない。例えば、モニタ２００にコントローラ１００の機能が内蔵されていてもよい。
【符号の説明】
【０１０７】
１００    コントローラ
１０２１    属性取得部
１０２２    条件取得部
１０２３    モニタ選択部
１０２４    グループ設定部
【図１】
2016066013.tif 000003
【図２】
2016066013.tif 000004
【図３】
2016066013.tif 000005
【図４】
2016066013.tif 000006
【図５】
2016066013.tif 000007
【図６】
2016066013.tif 000008
【図７】
2016066013.tif 000009
【図８】
2016066013.tif 000010
【図９】
2016066013.tif 000011
【図１０】
2016066013.tif 000012
【図１１】
2016066013.tif 000013
【図１２】
2016066013.tif 000014
【図１３】
2016066013.tif 000015
【図１４】
2016066013.tif 000016